(57)【要約】【課題】この発明は洗浄液を循環させて使用しながら床面を洗浄することができるようにした床面洗浄装置を提供することにある。【解決手段】走行可能な装置本体１と、装置本体に設けられ上記洗浄液を貯えた貯液タンク３と、貯液タンクに貯えられた洗浄液を加圧する加圧ポンプと、装置本体の先端部に設けられ加圧ポンプによって加圧された洗浄液を床面に向けて噴射するノズル体を有する噴射ユニと１４と、装置本体に搭載され吐出側が貯液タンクに連通した吸引ポンプ５と、装置本体のノズル体よりも後端側に吸引ポンプの吸引側に連通して設けられノズル体によって床面に噴射された洗浄液を吸引ポンプの吸引力によって吸引する吸引口体３５とを具備する。【選択図】      図１
2006026078.tif 000002
【特許請求の範囲】
【請求項１】
床面を洗浄液で洗浄する床面洗浄装置であって、
走行可能な装置本体と、
この装置本体に設けられ上記洗浄液を貯えた貯液タンクと、
この貯液タンクに貯えられた洗浄液を加圧する加圧手段と、
上記装置本体の先端部に設けられ上記加圧手段によって加圧された上記洗浄液を床面に向けて噴射する噴射手段と、
上記装置本体に搭載され吐出側が上記貯液タンクに連通した吸引手段と、
上記装置本体の上記噴射手段よりも後端側に上記吸引手段の吸引側に連通して設けられ上記噴射手段によって床面に噴射された洗浄液を上記吸引手段の吸引力によって吸引する吸引回収部と
を具備したことを特徴とする床面洗浄装置。
【請求項２】
上記吸引手段から上記貯液タンクに吐出される洗浄液は第１のフィルタ手段によって濾過されることを特徴とする請求項１記載の床面洗浄装置。
【請求項３】
上記貯液タンクの洗浄液は、上記第２のフィルタ手段によって濾過されてから上記加圧手段によって加圧されることを特徴とする請求項１記載の床面洗浄装置。
【請求項４】
上記噴射手段は、上記装置本体の走行方向と交差する方向に所定間隔で設けられた複数のノズル体からなり、これらノズル体は高さ方向の位置決め調整可能に設けられていることを特徴とする請求項１記載の床面洗浄装置。
【発明の詳細な説明】
【技術分野】
【０００１】
この発明はビルやマンションのロビーや廊下或いは地下通路などのような広い床面を洗浄するための床面洗浄装置に関する。
【背景技術】
【０００２】
上述したような広い床面を洗浄する場合、通常は専門家である清掃業者によってつぎの手順で行なわれる。まず、洗浄する床面にモップを用いて弱酸性、中性、アルカリ性等の洗剤を塗布する。つぎに、洗剤が塗布された床面を回転式ポリッシャによって洗浄する。ポリッシャによる洗浄後に水道の蛇口に接続したホースを用いて水道水を床面に散水し、洗浄後の汚水と洗剤を洗い流す。
【０００３】
その後、ウエットバキューム（バキューム吸引機）を使用して床面の水分を吸引した後、モップを用いて床面に残った水分をふき取って床面の洗浄が終了する。
【発明の開示】
【発明が解決しようとする課題】
【０００４】
しかしながら、このようにして床面を洗浄する場合、各作業ごとに使用する機材が異なる。つまり、回転式ポリッシャ−、バキューム吸引機、ホース、モップなどの機材を用い、それぞれの機材を用いた作業を複数の作業者によって順次行なわなければならない。
【０００５】
そのため、作業者数が多くなるため、コストの上昇を招くということがあるばかりか、作業時間も長くなるということがあった。
【０００６】
さらに、床面の汚れを落とすために、回転式ポリッシャによって床面を研磨するため、床面に傷が付いたり、床面が早期に摩耗してしまうなどのことがあった。
【０００７】
この発明は、床面の洗浄作業を能率よく、しかも確実に行なうことができるようにした床面洗浄装置を提供することにある。
【課題を解決するための手段】
【０００８】
この発明は、床面を洗浄液で洗浄する床面洗浄装置であって、
走行可能な装置本体と、
この装置本体に設けられ上記洗浄液を貯えた貯液タンクと、
この貯液タンクに貯えられた洗浄液を加圧する加圧手段と、
上記装置本体の先端部に設けられ上記加圧手段によって加圧された上記洗浄液を床面に向けて噴射する噴射手段と、
上記装置本体に搭載され吐出側が上記貯液タンクに連通した吸引手段と、
上記装置本体の上記噴射手段よりも後端側に上記吸引手段の吸引側に連通して設けられ上記噴射手段によって床面に噴射された洗浄液を上記吸引手段の吸引力によって吸引する吸引回収部と
を具備したことを特徴とする床面洗浄装置にある。
【０００９】
上記吸引手段から上記貯液タンクに吐出される洗浄液は第１のフィルタ手段によって濾過されることが好ましい。
【００１０】
上記貯液タンクの洗浄液は、上記第２のフィルタ手段によって濾過されてから上記加圧手段によって加圧されることが好ましい。
【００１１】
上記噴射手段は、上記装置本体の走行方向と交差する方向に所定間隔で設けられた複数のノズル体からなり、これらノズル体は高さ方向の位置決め調整可能に設けられていることが好ましい。
【発明の効果】
【００１２】
この発明によれば、洗浄液を加圧して床面に噴射するため、その圧力によって床面を洗浄することができ、しかも床面に噴射された洗浄液は回収して繰り返し使用することが可能であるから、貯液タンクを大型化したり、洗浄液の補給を頻繁に行なうことなく、広い床面であっても能率よく洗浄することが可能となる。
【発明を実施するための最良の形態】
【００１３】
以下、この発明の一実施の形態を図面を参照して説明する。
【００１４】
図１に示すこの発明の床面洗浄装置は装置本体１を備えている。この装置本体１は下面四隅部に設けられたキャスタ２によって走行可能となっている。
【００１５】
装置本体１の上面の後端部には貯液タンク３が設けられている。この貯液タンク３は上面が開口した箱形状の液密構造をなしていて、その上面開口は蓋体４によって開閉されるようになっている。この蓋体４には吸引手段としての吸引ポンプ５が設けられている。この吸引ポンプ５は、蓋板４の上面に突出した部分の外周面に吸引部５ａが設けられ、蓋体４の内面側、つまり貯液タンク３内に吐出部５ｂを突出させている。
【００１６】
図３に示すように、上記貯液タンク３内には、上記吸引ポンプ５の吐出部５ｂと対応する位置に第１のフィルタ手段を構成する内かご６及びこの内かご６を内部に収容した外かご７とが設けられている。後述するように上記吸引ポンプ５の吐出部５ｂから貯液タンク３内に吐出された洗浄液は上記内かご６及び外かご７で順次ろ過されて貯液タンク３内に貯えられる。
【００１７】
なお、内かご６と外かご７とは共に金属メッシュによって上面が開口した筒状に形成されていて、外かご７は内かご６よりも目の細かな金属メッシュが用いられている。それによって、吸引ポンプ５から貯液タンク３内に吐出される水等の洗浄液に含まれる塵埃のうち、大きなものは内かご６で捕捉され、小さなものは外かご７で捕捉されるようになっている。
【００１８】
吸引ポンプ５が設けられた蓋体４は開閉可能となっている。そのため、図３に鎖線で示すように蓋体４を開放することで、貯液タンク３内に設けられた内かご６と外かご７とを取り出して、清掃することができる。
【００１９】
図１乃至図３に示すように、上記装置本体１の上面の前端部には箱形状のカバー体１１が設けられている。このカバー体１１内には、図２に示すように第２のフィルタ手段を構成するフィルタ１２が設けられている。このフィルタ１２は、詳細は図示しないが、容器内にたとえば多孔質材によって筒状に形成されたろ材が着脱可能に収容されていて、このろ材の内部である、フィルタ１２の上流側に上記貯液タンク３に貯えられた洗浄液が流入するようになっている。
【００２０】
上記ろ材の外周面であるフィルタ１２の下流側は、上記カバー体１１内に設けられた加圧手段としての加圧ポンプ１３の吸引側に配管接続されている。この加圧ポンプ１３の吐出側は、上記装置本体１の前端面、つまりカバー体１１の前端面に設けられた噴射手段を構成する噴射ユニット１４に可撓性の高圧チューブ１４ａによって後述するように接続されている。  
なお、上記吸引ポンプ５と加圧ポンプ１３とには、図示せぬ電源コードによって給電されるようになっている。
【００２１】
図５乃至図７に示すように、上記噴射ユニット１４はケース１５を有する。このケース１５は、上記カバー体１１の前端面に設けられた取り付け板１６（図５に示す）に高さ調整可能に設けられている。すなわち、上記取り付け板１６の幅方向両端部には長孔１７が上下方向に沿って形成され、上記ケース１５は上記長孔１７に固定用ねじ１８によって取り付けられている。この固定用ねじ１８を緩めれば、上記ケース１５を長孔１７に沿って上下動させることができ、固定用ねじ１８を締め込めば、上記ケース１５を下降位置或いは上昇位置で固定できるようになっている。なお、図５と図６はケース１５は下降した位置にある。
【００２２】
上記ケース１５の上面の幅方向両端部にはスライダ１９がケース１５の前後方向に沿ってスライド可能に設けられている。上記ケース１５が下降した位置或いは上昇した位置で上記スライダ１９を後方へスライドさせれば、このスライダ１９に連動するストッパ１９ａ（図７に示す）の一端部が上記取り付け板１６に形成された係止孔２１に係合する。したがって、ケース１５はスライダ１９と固定用ねじ１８との両方によって上昇位置或いは下降位置でカバー体１１に固定されるよううになっている。
【００２３】
なお、係止孔２１は取り付け板１６の上下方向の二箇所に形成されているが、図５には上の位置の係止孔２１だけが示されている。  
図６と図７に示すように、上記ケース１５内にはヘッダパイプ２３がケース１５の幅方向に沿って設けられている。このヘッダパイプ２３には複数、この実施の形態では３つのノズル体２４が所定間隔で、しかも噴射方向を図７に示すようにわずかに後方に向けて設けられている。
【００２４】
上記ヘッダパイプ２３の径方向一端部には、ヘッダパイプ２３よりも短いチャンネル材２８が固着されている。このチャンネル材２８の長手方向両端部にはガイドロッド２５が下端を捩じ込んで立設されている。一対のガイドロッド２５は上記ケース１５の上部内面に設けられた支持部材２６にスライド可能に支持されて外部に突出している。
【００２５】
上記支持部材２６には上記ケース１５の前面から蝶ねじ２７が螺合されている。この蝶ねじ２７を緩めれば、上記ガイドロッド２５を上記支持部材２６に対して上下動させることができ、締め込めば上下動不能に固定されるようになっている。なお、上記チャンネル材２８の長手方向両端部は、上記ケース１５の内面に設けられた図示せぬガイドによって上下方向にスライド可能に支持されている。
【００２６】
上記チャンネル材２８の長手方向中途部の前面には当接板３０が設けられ、この当接板３０の下端面にはカム板２９が外周面を当接させている。このカム板２９は、上記ケース１５の前面に設けられた回転ノブ３１によって回転させることができるようになっている。
【００２７】
上記回転ノブ３１によって上記カム板２９を回転させれば、上記ヘッダパイプ２３が上記チャンネル材２８を介して上下動させられる。つまり、蝶ねじ２７を緩めてカム板２９を回転させれば、ヘッダパイプ２３とともにノズル体２４の高さを上記カム板２９の上死点から下死点の間の高さで調整することができる。所定の高さで上記蝶ねじ２７を締め込めば、その位置でヘッダパイプ２３を固定することができるようになっている。
【００２８】
なお、上記ケース１５の下端にはゴムなどの弾性材料によって形成されたシート３２が全周にわたって設けられている。このシート３２によってケース１５の下端が床面に直接当たるのを防止するとともに、上記ノズル体２４から後述するごとく噴射された洗浄液がケース１５の外部に飛散するのを防止している。
【００２９】
上記回転ノブ３１によってカム板２９を図６に鎖線で示すように回転させ、ヘッダパイプ２３の高さ、つまりヘッダパイプ２３に設けられた３つのノズル体２４の高さを上昇させれば、ノズル体２４から後述するごとく噴射される洗浄液が床面に衝突する強さを徐々に弱くすることができる。すなわち、床面の汚れ度合に応じてノズル体２４の高さを調整することで、その床面の汚れを確実に洗浄することが可能となる。  
なお、ノズル体２４の高さを変えても、隣り合うノズル体２４から噴射される洗浄液の噴射領域Ｒが離れることがないよう、各ノズル体２４の噴射角度が設定されている。
【００３０】
上記加圧ポンプ１３の吐出側は、図６に示すように上記ヘッダパイプ２３の長手方向中央部に設けられた接続部２３ａに、上記高圧チューブ１４ａによって接続されている。それによって、上記加圧ポンプ１３で加圧された洗浄液は、上記ヘッダパイプ２３に供給され、このヘッダパイプ２３に設けられた３つのノズル体２４から下方、つまり床面に向かって噴射される。洗浄液が床面に高圧で噴射されることで、この床面が洗浄されることになる。
【００３１】
なお、この実施の形態では洗浄液として水道水が用いられているが、床面の汚れ状態などによっては水道水に弱酸性、中性、アルカリ性等の洗剤を混合したものを使用してもよい。
【００３２】
図２に示すように、上記装置本体１の上記噴射ユニット１４よりも後方側の下面には吸引回収部を形成する吸引口体３５を有する。この吸引口体３５は下面が開放し、平面形状がへの字状をなしていて、上面の中央部には上記吸引ポンプ５の吸引部５ａと吸引チューブ３６（図１に示す）によって接続される接続部３７（図８に示す）が設けられている。吸引口体３５の下端面の周辺部には、全長にわたってゴムなどの帯状弾性材によって形成されたシート３５ａが設けられ、このシート３５ａが床面に当たるようになっている。
【００３３】
上記吸引口体３５は上記装置本体１に高さ調整可能に設けられている。すなわち、図８に示すように、吸引口体３５の長手方向両端部幡バー体１１の幅方向両側面よりも外方に突出し、その両端部（一端部のみ図示）には支柱３８が立設されている。この支柱３８の下端部には、リンク４１の一端部が連結されている。リンク４１の一端部には長孔３９が形成され、この長孔３９には上記支柱３８に取り付けられたピン４２がスライド可能に係合している。
【００３４】
上記リンク４１の他端は上記装置本体の下面に設けられたブラケット４３に支軸４４によって枢着されている。上記支軸４４にはレバー４５の一端が上記リンク４１と一体的に取り付けられている。それによって、上記レバー４５を図８に示す矢印方向へ回動させれば、上記吸引口体３５を実線で示す位置から鎖線で示す位置に上昇させることができるようになっている。
【００３５】
上記吸引口体３５の上記支柱３８が立設された端部よりも外側には弾性材によって形成された円盤状の緩衝部材４０が回転可能に設けられている。この緩衝部材４０は蒸気吸引口体３５の両端部が室内の側壁や障害物などに直接当たるのを防止している。
【００３６】
上記レバー４５は上記吸引口体３５を上昇させた回動位置及び下降させた回動位置のうちの少なくとも上昇位置では、図示せぬ保持部材によって回動不能に保持できるようになっている。つまり、吸引口体３５は少なくとも上昇位置で移動不能に保持されるようになっている。
【００３７】
上記吸引口体３５は下降した状態において、開口した下面の周辺に設けられたシート３５ａの下端が床面に対して接触若しくはわずかな間隔で離間する高さで保持される。そして、上記吸引口体３５に吸引ポンプ５の吸引力が作用すると、上記ノズル体２４によって床面に噴射された洗浄液を吸引することができるようになっている。
【００３８】
図１に示すように、上記装置本体１の後端、つまり上記貯液タンク３の後端面にはパイプ材を逆Ｕ字状に曲成した手押しハンドル４７が設けられている。この手押しハンドル４７によって装置本体１を前後方向に走行させることができる。
【００３９】
上記手押しハンドル４７には操作レバー４８を有する操作部４９が設けられている。この操作部４９には図示せぬ開閉弁が内蔵され、上記操作レバー４８を操作することで開放できるようになっている。開閉弁を開放すると、上記加圧ポンプ１３とノズル体２４が設けられたヘッダパイプ２３が上記高圧チューブ１４ａによって連通する。それによって、上記加圧ポンプ１３で加圧された洗浄液を上記噴射ユニット１４のノズル体２４から噴射させることができるようになっている。
【００４０】
つぎに、上記構成の床面洗浄装置を使用する場合について説明する。
【００４１】
図９は洗浄液の循環経路を示す説明図である。貯液タンク３に貯えられた洗浄液は、加圧ポンプ１３が作動すると、フィルタ１２で浄化されてから上記加圧ポンプ１３に吸引される。加圧ポンプ１３内で圧力上昇した洗浄液は、手押しハンドル４７に設けられた操作部４９の操作レバー４８を操作すれば、噴射ユニット１４の各ノズル体２４から床面に向かって噴射させることができる。
【００４２】
したがって、作業者は、手押しハンドル４７を把持すると同時に、操作レバー４８を操作して装置本体１を前方へ押して走行させれば、噴射ユニット１４の各ノズル体２４から噴射される洗浄液によって床面を洗浄することができる。
【００４３】
ノズル体２４から洗浄液を噴射させ、床面を洗浄しながら装置本体１を前方へ走行させれば、床面に噴射された洗浄液は、床面を洗浄した直後に吸引ポンプ５の吸引力によって吸引口体３５に吸引される。つまり、ノズル体２４から床面に噴射された洗浄液は、床面を洗浄した後、吸引口体３５によって床面から除去される。
【００４４】
吸引口体３５に吸引除去された洗浄液は、吸引ポンプ５の吐出部５ｂから貯液タンク３内の内かご６内に吐出する。内かご６内に流出した洗浄液はこの内かご６を通ることで大きなゴミが除去された後、外かご７を通ることで比較的小さなゴミが除去される。
【００４５】
洗浄液は、吸引ポンプ５によって貯液タンク３に回収された後、フィルタ１２を介して加圧ポンプ１３に吸引される。洗浄液はフィルタ１２を通過することで、微細なゴミも除去される。そのため、フィルタ１２を通過した洗浄液にはほとんどゴミが含まれないから、洗浄液を上述した経路で循環させても、上記加圧ポンプ１３を傷めるようなことがないばかり、ノズル体２４が目詰まりを生じるようなこともない。すなわち、洗浄液の循環使用に支障を来たすようなことがない。
【００４６】
このように、貯液タンク３に収容された洗浄液を循環させて繰り返して使用することができるから、洗浄液の使用量を減少させることができるばかりか、例えば広い床面や水道水（洗浄液）の補給ができないような場所の床面を洗浄するような場合であっても、水道水の補給をほとんどせずにすむ。そのため、床面の洗浄作業を能率よく行なうことができる。
【００４７】
しかも、ノズル体２４から洗浄液を高圧で噴射させて床面を洗浄するため、従来のポリッシャのように床面を研磨することがない。そのため、床面を傷付けたり、床面を早期に摩耗させるなどのこともない。
【００４８】
さらに、噴射ユニット１４に設けられたノズル体２４の高さを回転ノブ３１によってカム板２９を回転させることで調整することができる。ノズル体２４の高さを変えれば、ノズル体２４から高圧で噴射される洗浄液が床面に作用する洗浄力を変えることができる。そのため、床面の汚れ状態に応じてノズル体２４の高さを変えれば、床面を良好に洗浄することができる。
【００４９】
このようにして床面を洗浄した後、装置本体１を現場から搬出する場合には、噴射ユニット１４及び吸引口体３５を上昇させて保持する。その状態で、装置本体１を走行させれば、噴射ユニット１４のケース１５の下面や吸引口体３５の下面が床面などに擦れることがないから、ケース１５や吸引口体３５を損傷させることなく装置本体１を搬出することができる。
【００５０】
この発明は上記一実施の形態に限定されるものでなく、種々変形可能である。たとえば、上記一実施の形態では吸引ポンプや加圧ポンプに対して外部から給電する構造となっているが、装置本体に電源を搭載して給電するようにしてもよい。  
また、装置本体を手押し式としたが、装置本体は自走式であってもよい。
【図面の簡単な説明】
【００５１】
【図１】この発明の一実施の形態を示す床面洗浄装置の斜視図。
【図２】床面洗浄装置の平面図。
【図３】床面洗浄装置の側面図。
【図４】床面洗浄装置の背面図。
【図５】カバー体の先端面に設けられた噴射ユニットの斜視図。
【図６】噴射ユニットを幅方向に沿って断面した図。
【図７】噴射ユニットを図６に示す幅方向と交差する前後方向に沿って断面した図。
【図８】吸引口体を上下動させるための機構を示す図。
【図９】洗浄液を循環させる経路の説明図。
【符号の説明】
【００５２】
１…装置本体、３…貯液タンク、５…吸引ポンプ（吸引手段）、１３…加圧ポンプ（加圧手段）、１４…噴射ユニット（噴射手段）、２４…ノズル体（噴射手段）、３５…吸引口体（吸引回収部。
【図１】
2006026078.tif 000003
【図２】
2006026078.tif 000004
【図３】
2006026078.tif 000005
【図４】
2006026078.tif 000006
【図５】
2006026078.tif 000007
【図６】
2006026078.tif 000008
【図７】
2006026078.tif 000009
【図８】
2006026078.tif 000010
【図９】
2006026078.tif 000011